(57)【特許請求の範囲】
【請求項１】
セルロース、修飾セルロース、ビスコース、ポリラクチド、その修飾体、その誘導体、及びその混合物から成る群から選択されるポリマーと、ペトロラタム、オレイン酸を少なくとも25重量%含有する油、オレイン酸を少なくとも25重量%含有する油からの非鹸化性脂質、及びその混合物から成る群から選択される少なくとも1種の作用物質と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有するポリマー組成物を含んでいる繊維を含有する糸又はテキスタイル面。
【請求項２】
少なくとも1種の作用物質がペトロラタムである、請求項1に記載の糸又はテキスタイル面。
【請求項３】
ポリマー組成物が、ペトロラタム、及びオレイン酸を少なくとも25重量%含有する油を含有する、請求項1又は2に記載の糸又はテキスタイル面。
【請求項４】
油が、オレイン酸を少なくとも35重量%、パルミチン酸を少なくとも20重量%、パルミトレイン酸を少なくとも3重量%、リノール酸を少なくとも5重量%、ステアリン酸を少なくとも5重量%、及びcis-9-オクタデセン酸を少なくとも0.5重量%含有する、請求項1〜3のいずれか一項に記載の糸又はテキスタイル面。
【請求項５】
油が、マルーラ油、オリーブ油、及び/又はナタネ油である、請求項1〜4のいずれか一項に記載の糸又はテキスタイル面。
【請求項６】
油がキャノーラ油である、請求項1〜5のいずれか一項に記載の糸又はテキスタイル面。
【請求項７】
ポリマー組成物が非鹸化性脂質を含有する、請求項1〜6のいずれか一項に記載の糸又はテキスタイル面。
【請求項８】
ポリマー組成物がシアバターを含有する、請求項1〜7のいずれか一項に記載の糸又はテキスタイル面。
【請求項９】
少なくとも1種の作用物質が皮膚への浸透増強に役立つ、請求項1〜8のいずれか一項に記載の糸又はテキスタイル面。
【請求項１０】
少なくとも1種の作用物質が閉塞を生成する作用物質である、請求項1〜9のいずれか一項に記載の糸又はテキスタイル面。
【請求項１１】
繊維が、ステープルファイバー、モノフィラメント、マルチフィラメントのフィラメント、又はマルチフィラメントの連続フィラメントである、請求項1〜10のいずれか一項に記載の糸又はテキスタイル面。
【請求項１２】
テキスタイル面が、緯編ニット、経編ニット、又は織物である、請求項1〜11のいずれか一項に記載のテキスタイル面。
【請求項１３】
請求項1〜12のいずれか一項に記載の糸又はテキスタイル面を含有するか、又はセルロース、修飾セルロース、ビスコース、ポリラクチド、その修飾体、その誘導体、及びその混合物から成る群から選択されるポリマーと、ペトロラタム、オレイン酸を少なくとも25重量%含有する油、オレイン酸を少なくとも25重量%含有する油からの非鹸化性脂質、及びその混合物から成る群から選択される少なくとも1種の作用物質と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有するポリマー組成物を含んでいる繊維を含有する、衣類、運動補助具、又は医療用補助具。
【請求項１４】
トリコット、スポーツパンツ、パンツ、アンダーシャツ、又はストッキングである、請求項13に記載の衣類又は運動補助具。
【請求項１５】
包帯又は圧迫ストッキングである、請求項13に記載の医療用補助具。
【請求項１６】
衣類、運動補助具、又は皮膚の手入れ及び/若しくは皮膚の乾燥の防止のための医療用補助具における請求項1〜12のいずれか一項に記載の糸又はテキスタイル面の使用。
【発明の詳細な説明】
【技術分野】
【０００１】
本発明は、ポリマー及び少なくとも1種の作用物質を含有するポリマー組成物、そのようなポリマー組成物を含んでいる成形体、成形体及びポリマー組成物の使用、並びに対応する糸、不織布、衣類、運動補助具、及び医療用補助具に関する。
【背景技術】
【０００２】
添加剤によって「機能化」されたポリマー組成物は知られている。US-A 5,766,746は、例えば難燃性成分を含有するセルロース繊維を説明している。DE 100 37 983 A1はアルカロイドを含有するポリマー組成物、DE 100 07 794 A1は海産植物又は海産動物から成る材料を含んでいるポリマー組成物を説明している。
【０００３】
このようなポリマー組成物が、糸、テキスタイル面、及び衣類へとさらに加工される。
【０００４】
ポリマー繊維を機能化するための添加剤の添加は、それにもかかわらず、繊維を使用する際に必要な特性、とりわけ機械的強さ、引掛け強さ、繊維の伸度、摩耗特性、及び着色性を維持するという課題をしばしば生じさせる。
【０００５】
しかし、特定の添加剤を含んでいる機能性繊維及び機能性繊維から製造された衣類、運動補助具、又は医療用補助具に対する需要は絶えず存在しており、したがって、前述の難点を克服する繊維を提供することが重要であり、これにより、機能化された繊維及びテキスタイル面が、それらから生産される衣類、運動補助具、又は医療用補助具に対する相応の要求を満たすことができる。
【０００６】
これに関し市場にとって特に重要な添加剤は、ポリマー組成物から製造された衣類、運動補助具、又は医療用補助具を身に着ける生物に作用する添加剤である。
【０００７】
これまで知られている構造物は、これらの物質を低濃度でしか含んでいない。これらの物質は、染み込ませるか又はコーティングすることで担体マトリクスに施されている。このことは、例えば低い耐洗濯性をもたらし、したがってこのような物質はその作用機序を維持するため、定期的に新たに供給されなければならない。
【先行技術文献】
【特許文献】
【０００８】
【特許文献１】US-A 5,766,746
【特許文献２】DE 100 37 983 A1
【特許文献３】DE 100 07 794 A1
【発明の概要】
【発明が解決しようとする課題】
【０００９】
したがって本発明の基礎となる技術的課題は、相応の添加剤を含有するポリマー組成物であって、それにもかかわらず、そのポリマー組成物から製造される成形体の優れた安定性及び加工性をもたらすポリマー組成物を提供することである。
【００１０】
皮膚にぴったり密着する衣類並びに医療用補助具、例えば包帯及び圧迫ストッキングの場合、着心地に関しては皮膚水分の調節が重要であり、とりわけ皮膚の乾燥を阻止することが望ましい。さらにこのようなテキスタイル面は、皮膚を乾燥及び刺激したり、又は既に存在する皮膚疾患、例えばアトピー性皮膚炎若しくは神経性皮膚炎を悪化させたりしてはならない。これに関してはさらに、そのような皮膚疾患に伴う掻痒刺激又は痛みを少なくとも軽減させるべきである。
【００１１】
本発明の基礎となる技術的課題はさらに、とりわけこの観点で改善された衣類及び医療用補助具並びにその出発材料を提供することである。
【課題を解決するための手段】
【００１２】
本発明はその基礎となる技術的課題を独立請求項の対象によって解決する。
【００１３】
とりわけ、本発明はその基礎となる技術的課題を、ポリマーと、ペトロラタム、オレイン酸を少なくとも25重量%含有する油又は脂肪、オレイン酸を少なくとも25重量%含有する油からの非鹸化性脂質、及びその混合物から成る群から選択される少なくとも1種の作用物質とを含有するポリマー組成物によって解決する。
【００１４】
とりわけ、本発明はその基礎となる技術的課題を、ポリマーと、ペトロラタム、オレイン酸を少なくとも25重量%含有する油、及びその混合物から成る群から選択される少なくとも1種の作用物質とを含有するポリマー組成物によって解決する。
【００１５】
とりわけ、本発明はその基礎となる技術的課題を、ポリマーと、ペトロラタム、オレイン酸を少なくとも25重量%含有する油又は脂肪、オレイン酸を少なくとも25重量%含有する油からの非鹸化性脂質、及びその混合物から成る群から選択される少なくとも1種の作用物質とを含有するポリマー組成物を含んでいる繊維を含有する糸又はテキスタイル面によっても解決する。
【００１６】
とりわけ、本発明はその基礎となる技術的課題を、ポリマーと、ペトロラタム、オレイン酸を少なくとも25重量%含有する油、オレイン酸を少なくとも25重量%含有する油からの非鹸化性脂質、及びその混合物から成る群から選択される少なくとも1種の作用物質とを含有するポリマー組成物を含んでいる繊維を含有する糸又はテキスタイル面によっても解決する。
【００１７】
とりわけ、本発明はその基礎となる技術的課題を、ポリマーと、ペトロラタム、オレイン酸を少なくとも25重量%含有する油、及びその混合物から成る群から選択される少なくとも1種の作用物質とを含有するポリマー組成物を含んでいる繊維を含有する糸又はテキスタイル面によっても解決する。
【００１８】
とりわけ、本発明はその基礎となる技術的課題を、ポリマーと、ペトロラタム、オレイン酸を少なくとも25重量%含有する油、及びその混合物から成る群から選択される少なくとも1種の作用物質とを含有するポリマー組成物を含んでいる繊維を含有する糸によっても解決する。
【００１９】
とりわけ、本発明はその基礎となる技術的課題を、ポリマーと、ペトロラタム、オレイン酸を少なくとも25重量%含有する油、及びその混合物から成る群から選択される少なくとも1種の作用物質とを含有するポリマー組成物を含んでいる繊維を含有するテキスタイル面によっても解決する。
【００２０】
本発明はその基礎となる技術的課題を、ポリマー及びペトロラタムを含有するポリマー組成物によって解決することが好ましい。
【００２１】
本発明はその基礎となる技術的課題を、ポリマー及びペトロラタムを含有するポリマー組成物を含んでいる繊維を含有する糸又はテキスタイル面によって解決することが好ましい。
【発明を実施するための形態】
【００２２】
ペトロラタムは、とりわけC12〜C85炭化水素から形成されるパラフィン混合物であり、特に、25個超の炭素原子を有する結晶性及び液状の飽和炭化水素が主な部分である。ペトロラタムの融点は25℃〜60℃、とりわけ36℃〜60℃、好ましくは38℃〜60℃の間である。ペトロラタムは1859年に発見された。ペトロラタムは室温又は体温で半固体のパラフィンである。
【００２３】
ペトロラタムは、「浸透エンハンサー」として知られている。ペトロラタムは、親油性物質による角質層の透過を増強する。ペトロラタムは角質層では、細胞間脂質を斜方晶配列へと配置変更させて水分喪失を阻む。これに関しペトロラタムは、包囲された角質細胞では、水分を留めることによる腫脹の原因となる。細胞間経路は著しくはっきりしなくなる。
【００２４】
浸透増強のための通常の物質、例えばアミン、アルコール、アゾンなどは、添加された作用物質、例えば薬剤を真皮に入り込ませるために角質層を破壊する。
【００２５】
いまではペトロラタムが、ポリマー組成物中でも、生体模倣特性を有しており、生理脂質のように角質層の細胞間脂質と相互作用するので、浸透増強剤としての皮膚に無害な利用に有利に適していることが分かった。
【００２６】
それだけでなくペトロラタムは、角質層の損傷後のバリア機能の回復をもたらし得ることが有利である。ペトロラタムは化学的に皮膚の脂質との親和性がないにもかかわらず、角質層内でのペトロラタムの直鎖状及び分枝状の飽和炭化水素の混合物は、細胞間脂質領域の障害を軽減させるか又は完全に取り除くことができる。
【００２７】
ペトロラタムは有利な拡散挙動も有している。
【００２８】
いまではペトロラタムのこれらの特性が、ポリマー組成物及びこのポリマー組成物から形成された繊維及びこの繊維を含有する糸、テキスタイル面、衣類、運動補助具、又は医療用補助具においても利用可能であることが分かった。
【００２９】
したがって、少なくとも1種の作用物質がペトロラタムであることが好ましい。
【００３０】
代替策として、本発明はその基礎となる技術的課題を、ポリマー及びオレイン酸を少なくとも25重量%含有する油を含有するポリマー組成物によって解決する。
【００３１】
代替策として、本発明はその基礎となる技術的課題を、ポリマー及びオレイン酸を少なくとも25重量%含有する油を含有するポリマー組成物を含んでいる繊維を含有する糸又はテキスタイル面によっても解決する。
【００３２】
意外にも、オレイン酸の割合が高い油も浸透増強剤として適しており、ポリマー組成物中の作用物質としてもそうであることが分かった。
【００３３】
ポリマーと、ペトロラタム、及びオレイン酸を少なくとも25重量%含有する油から成る混合物とを含有するポリマー組成物が好ましい。
【００３４】
したがって本発明は、ポリマー組成物が、ペトロラタム、及びオレイン酸を少なくとも25重量%含有する油を含有する、本発明による糸又は本発明によるテキスタイル面にも関することが好ましい。
【００３５】
少なくとも1種の作用物質が皮膚への浸透増強に役立つことが好ましい。
【００３６】
つまり、少なくとも1種の作用物質が皮膚への浸透増強に役立つ、本発明による糸又は本発明によるテキスタイル面が好ましい。
【００３７】
少なくとも1種の作用物質、とりわけペトロラタムが閉塞を生成する(オクルーシブ)作用物質であることが好ましい。ペトロラタムは閉塞生成作用物質として適していることが有利である。シアバターも、とりわけペトロラタムとの組合せで、閉塞生成作用物質として使用することができる。
【００３８】
つまり、少なくとも1種の作用物質が閉塞を生成する作用物質である、本発明による糸又は本発明によるテキスタイル面が好ましい。
【００３９】
本発明との関連で、閉塞とは、皮膚を通って周囲、例えばテキスタイル被覆物へと水分が喪失するのを防止する又は低減することである。
【００４０】
さらなる重要な機能と共に、ヒトの皮膚は環境からの攻撃を防いでいる。この皮膚の保護機能を維持するために核心的に重要なのは、比較的深い皮膚層からの水分喪失を回避することである。
【００４１】
ヒトの皮膚の構成は、3つの構成要素、詳しくは上皮(Epidermis)、真皮(Dermis)、及び皮下組織(Subcutis)に区分されている。皮膚の水分含有に特に重要なのは、ケラチンフィラメントを有する上皮の角質層の外層である。つまり、ケラチン繊維骨格はかなりの水分量を保持することができる。相応の物質の外側閉塞作用の目標点及び作用点は上皮である。このような物質を皮膚表面に施すことにより、主作用、詳しくは角質層からの水分漏出(経皮水分喪失)の抑制が発揮される。この物質により、水分漏出を防止する薄膜が形成される。したがって外側閉塞では、水分が比較的深い層から上昇し、外側の皮膚層のケラチン繊維骨格を水分で満たすことができる。これにより角質層を乾燥から保護する。皮膚の弾力性及び柔軟性が保たれ、皮膚は、例えば不利な外部の影響を防ぐための生理学的バランスを保つ。作用物質のこの閉塞性の作用機序を外側閉塞とも言う。
【００４２】
内側閉塞は、角質層内の皮膚脂質の配置の変更を意味している。六角形の配置では、脂質の炭化水素鎖はその軸の周りを自由に回転することができる。この「疎充填」の段階は、より透過性の、つまり浸透性の構造を作り出し、対応する不利な結果、例えば皮膚の乾燥を伴う角質層内でのストレス下での望ましくない水分放出を容易にする。特定の作用物質の作用により、内側閉塞では脂質のより密な斜方晶充填が生成される。この配列はより強固な構造を生じさせる。このような分子の活動が、脂質の「斜方晶充填」により皮膚バリアの透過性を著しく低下させ、それにより角質層からの水分喪失を有意に低減させる。好ましい作用物質としてのペトロラタムは、内側閉塞のプロセスの際の通過媒介剤であることが有利である。
【００４３】
少なくとも1種の作用物質、とりわけペトロラタムが、内側閉塞を生成する作用物質であることが好ましい。
【００４４】
少なくとも1種の作用物質がペトロラタムであることが好ましい。作用物質がペトロラタムであることが好ましい。
【００４５】
作用物質が、CAS番号8009-03-8に基づくペトロラタムであることが好ましい。
【００４６】
ペトロラタムが、ペトロラタムUSP、つまりUSP(米国薬局方)要件(「USP認証」)を満たすペトロラタムであることが好ましい。
【００４７】
ペトロラタムが、20〜45個の炭素原子を有する直鎖状飽和炭化水素を最大で20重量%含有することが好ましい。ペトロラタムが、30〜90個の炭素原子を有する直鎖状飽和炭化水素を少なくとも20重量%〜最大で25重量%含有することが好ましい。ペトロラタムが、10〜50個の炭素原子を有する直鎖状飽和炭化水素を少なくとも40重量%含有することが好ましい。このような種類のペトロラタムは、べたつき(「greasy」)が比較的低いことが有利なことが明らかになっており、皮膚領域では、本発明によるポリマー組成物から形成された繊維から、出ていくその他の作用物質、例えば炭酸ジカプリリルの作用のもと、拡散することが有利である。
【００４８】
ポリマー組成物、糸、又はテキスタイル面が、少なくとも1種の作用物質を追加的に含有しており、その作用物質が、閉塞を生成する作用物質、とりわけ内側閉塞を生成する作用物質若しくは外側閉塞を生成する作用物質、水分供与性作用物質、又は痛み若しくは掻痒刺激を低減させる作用物質、又はその混合物であり得ることが好ましい。この追加的な作用物質が、閉塞を生成する作用物質、とりわけ内側閉塞を生成する作用物質又は外側閉塞を生成する作用物質であることが好ましい。
【００４９】
本発明との関連で、閉塞とは、皮膚を通って周囲、例えばテキスタイル面へと水分が喪失するのを防止する又は低減することである。
【００５０】
したがってポリマー組成物が、炭酸ジカプリリル、イソノナン酸セチル、イソノナン酸セテアリル、イソステアリン酸イソプロピル、イソステアリン酸イソステアリル、パルミチン酸イソプロピル、シアバター、及びその混合物から成る群から選択される作用物質を追加的に含有する、本発明による糸又は本発明によるテキスタイル面も好ましい。
【００５１】
したがってポリマー組成物が、イソノナン酸セチル、イソノナン酸セテアリル、炭酸ジカプリリル、イソステアリン酸イソプロピル、イソステアリン酸イソステアリル、パルミチン酸イソプロピル、及びその混合物から成る群から選択される作用物質を追加的に含有する、本発明による糸又は本発明によるテキスタイル面も好ましい。
【００５２】
イソノナン酸セチルはCAS番号84878-33-1を有している。イソノナン酸セテアリルはCAS番号11937-03-02を有している。
【００５３】
したがってポリマー組成物がイソノナン酸セチルを追加的に含有する、本発明による糸又は本発明によるテキスタイル面も好ましい。
【００５４】
したがってポリマー組成物がイソノナン酸セテアリルを追加的に含有する、本発明による糸又は本発明によるテキスタイル面も好ましい。
【００５５】
したがってポリマー組成物が炭酸ジカプリリルを追加的に含有する、本発明による糸又は本発明によるテキスタイル面も好ましい。
【００５６】
したがってポリマー組成物がイソステアリン酸イソプロピルを追加的に含有する、本発明による糸又は本発明によるテキスタイル面も好ましい。
【００５７】
したがってポリマー組成物がイソステアリン酸イソステアリルを含有する、本発明による糸又は本発明によるテキスタイル面も好ましい。
【００５８】
したがってポリマー組成物がパルミチン酸イソプロピルを追加的に含有する、本発明による糸又は本発明によるテキスタイル面も好ましい。
【００５９】
したがってポリマー組成物がシアバターを追加的に含有する、本発明による糸又は本発明によるテキスタイル面も好ましい。
【００６０】
ポリマー、ペトロラタム(PET)、及びイソノナン酸セチル(CEIN)を含有するポリマー組成物が好ましい。
【００６１】
ポリマーと、ペトロラタム(PET)及びイソノナン酸セチル(CEIN)から成る混合物とを含有するポリマー組成物が好ましい。
【００６２】
代替策は、ポリマーと、ペトロラタム(PET)及びイソノナン酸セテアリルから成る混合物とを含有するポリマー組成物である。代替策は、ポリマーと、ペトロラタム(PET)及び炭酸ジカプリリル(DICA)から成る混合物とを含有するポリマー組成物である。炭酸ジカプリリルは、親油性成分PETのための好ましい機能性パートナーであり、親油性成分PETの皮膚での「べたつき」効果(「greasy skin feeling」)を妨げる。
【００６３】
代替策は、ポリマーと、ペトロラタム及び脂肪酸誘導体、とりわけ内側閉塞を生成する作用物質として知られているイソステアリン酸イソプロピル(IPIS)又はイソステアリン酸イソステアリル(ISIS)から成る混合物とを含有するポリマー組成物である。
【００６４】
ポリマーと、ペトロラタム及びイソステアリン酸イソプロピルから成る混合物とを含有するポリマー組成物が好ましい。代替策として好ましいのは、ポリマーと、ペトロラタム及びイソステアリン酸イソステアリルから成る混合物とを含有するポリマー組成物である。
【００６５】
ペトロラタムは浸透増強剤として、内側閉塞形成剤としてのISIS及びIPISの作用を補助する。それだけでなくペトロラタム自体が閉塞を生成する作用物質である。
【００６６】
したがってポリマー組成物が、ペトロラタムと、イソノナン酸セチル、炭酸ジカプリリル、イソステアリン酸イソプロピル、イソステアリン酸イソステアリル、及びその混合物から成る群から選択されるさらなる作用物質とを含有する、本発明による糸又は本発明によるテキスタイル面も好ましい。
【００６７】
したがってポリマー組成物が、ペトロラタムと、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【００６８】
ポリマーと、ペトロラタム及び少なくとも1種の油から成る混合物並びに/又はペトロラタム及び少なくとも1種の脂肪から成る混合物とを含有するポリマー組成物が好ましい。
【００６９】
ポリマーと、ペトロラタム及び油から成る混合物並びに/又はペトロラタム及び脂肪から成る混合物とを含有するポリマー組成物が好ましい。
【００７０】
ポリマーと、ペトロラタム及び脂肪から成る混合物とを含有するポリマー組成物が好ましい。脂肪は植物性脂肪であることが好ましい。
【００７１】
脂肪がオレイン酸を含有することが好ましい。脂肪がオレイン酸を少なくとも25重量%含有することが好ましい。脂肪がオレイン酸を少なくとも35重量%含有することが好ましい。脂肪がオレイン酸を少なくとも40重量%含有することが好ましい。脂肪がパルミチン酸を含有することが好ましい。脂肪がパルミチン酸を少なくとも2重量%含有することが好ましい。脂肪がステアリン酸を含有することが好ましい。脂肪がステアリン酸を少なくとも30重量%含有することが好ましい。脂肪が、オレイン酸、パルミチン酸、及びステアリン酸を含有することが好ましい。
【００７２】
脂肪がシアバターであることが好ましい。したがって、ポリマーと、ペトロラタム及びシアバターから成る混合物とを含有するポリマー組成物が好ましい。
【００７３】
シアバターは、シアバターノキのシアナッツから得られる。シアナッツの木、シアバターの木、又はアフリカのシアの木とも呼ばれるシアバターノキ(ビテラリアパラドクサ(Vitellaria paradoxa)、同義語ブチロスペルマムパルキ(Butyrospermum parkii))は、アカテツ(Sapotengewachse)科のシアバターノキ(Vitellaria)属の唯一の植物種である。シアバターの特色は、非鹸化性構成成分の割合が高いことである(トリテルペン約75%、並びにオレイン酸、トリテルペンアルコール、ビタミンE、ベータカロチン、及びアラントイン)。シアバターは主として長鎖不飽和脂肪酸を含有している。主要構成成分は、オレイン酸40〜55%、ステアリン酸35〜45%、リノレン酸3〜8%、及びパルミチン酸3〜7%である。
【００７４】
シアバターに含有されるトリテルペンが抗炎症作用を有することが有利である。ペトロラタムUSP及びシアバターから成る混合物は、例えば米国のSonneborn LLC社のShea XP(商標)として入手可能である。シアバターのトリテルペンは、皮膚水分の改善及び経皮水分喪失の低減に関し、ペトロラタムと相乗的に作用することができる。
【００７５】
ポリマー、ペトロラタム(PET)、シアバター、及びイソノナン酸セチル(CEIN)を含有するポリマー組成物が好ましい。
【００７６】
代替策として、本発明はその基礎となる技術的課題を、ポリマー及びシアバターを含有するポリマー組成物によって解決する。
【００７７】
ポリマーと、ペトロラタム及び油から成る混合物とを含有するポリマー組成物が好ましい。油がオレイン酸を含有することが好ましい。油がオレイン酸を少なくとも25重量%含有することが好ましい。油がオレイン酸を少なくとも35重量%含有することが好ましい。油がオレイン酸を少なくとも40重量%含有することが好ましい。油がパルミチン酸を含有することが好ましい。油がパルミチン酸を少なくとも20重量%含有することが好ましい。油がステアリン酸を含有することが好ましい。油がステアリン酸を少なくとも5重量%含有することが好ましい。油が、オレイン酸、パルミチン酸、及びステアリン酸を含有することが好ましい。
【００７８】
代替策として、本発明はその基礎となる技術的課題を、ポリマー及びオレイン酸を少なくとも25重量%含有する油を含有するポリマー組成物によって解決する。
【００７９】
代替策として、本発明はその基礎となる技術的課題を、ポリマー及びオレイン酸を少なくとも25重量%含有する油を含有するポリマー組成物を含んでいる繊維を含有する糸又はテキスタイル面によっても解決する。
【００８０】
したがって油が、オレイン酸を少なくとも35重量%、パルミチン酸を少なくとも20重量%、パルミトレイン酸を少なくとも3重量%、リノール酸を少なくとも5重量%、ステアリン酸を少なくとも5重量%、及びcis-9-オクタデセン酸を少なくとも0.5重量%含有する、本発明による糸又は本発明によるテキスタイル面も好ましい。
【００８１】
油は、合成油又は天然油であることができる。
【００８２】
油がオレイン酸を少なくとも35重量%含有することが好ましい。油がオレイン酸を少なくとも40重量%含有することが好ましい。
【００８３】
油が、オレイン酸を少なくとも35重量%及びパルミチン酸を少なくとも20重量%含有することが好ましい。
【００８４】
油が、オレイン酸を少なくとも35重量%、パルミチン酸を少なくとも20重量%、及びステアリン酸を少なくとも5重量%含有することが好ましい。
【００８５】
油が、オレイン酸を少なくとも35重量%並びに追加的にパルミチン酸、リノール酸、及びステアリン酸を含有することが好ましい。
【００８６】
油が、オレイン酸を少なくとも35重量%並びに追加的にパルミチン酸、パルミトレイン酸、リノール酸、及びステアリン酸を含有することが好ましい。
【００８７】
油が、オレイン酸を少なくとも35重量%並びに追加的にパルミチン酸、パルミトレイン酸、リノール酸、ステアリン酸、及びcis-9-オクタデセン酸を含有することが好ましい。
【００８８】
油が、オレイン酸を少なくとも35重量%、パルミチン酸を少なくとも20重量%、パルミトレイン酸を少なくとも3重量%、リノール酸を少なくとも5重量%、ステアリン酸を少なくとも5重量%、及びcis-9-オクタデセン酸を少なくとも0.5重量%含有することが好ましい。
【００８９】
したがって油が、マルーラ油、オリーブ油、及び/若しくはナタネ油又はナタネ油の非鹸化性脂質である、本発明による糸又は本発明によるテキスタイル面も好ましい。
【００９０】
したがって油が、マルーラ油、オリーブ油、及び/又はナタネ油である、本発明による糸又は本発明によるテキスタイル面も好ましい。油は、単独で又は混合物で含有することができる。
【００９１】
油が、ナタネ油、とりわけキャノーラ油であることが好ましい。油がキャノーラ油であることが好ましい。キャノーラ油は、エルカ酸及びグルコシノレートの少ない新たに品種改良された変種の菜種の油である。キャノーラ油が、皮膚の手入れ及び/又は皮膚の乾燥の防止に非常に良く適していることが示された。
【００９２】
代替策としては、油はマルーラ油である。マルーラ油は、マルーラの木(Sclerocarya birrea)の果実の種子から得られる油である。マルーラ油は、オレイン酸を最大で70重量%又はそれ超含有することが有利である。
【００９３】
ポリマー組成物が、ペトロラタム及びナタネ油、とりわけキャノーラ油を含有することが好ましい。
【００９４】
ポリマー組成物が、ペトロラタム及びマルーラ油を含有することが好ましい。
【００９５】
代替策として、油がオリーブ油であることができる。
【００９６】
ポリマー組成物が非鹸化性脂質を含有する、本発明による糸又は本発明によるテキスタイル面も好ましい。非鹸化性脂質は、油の代わりに又は油に追加的に利用することができる。鹸化性脂質が、オレイン酸を少なくとも25重量%含有する油に由来することが好ましい。非鹸化性脂質が、ナタネ油、オリーブ油、及び/又はマルーラ油、とりわけナタネ油に由来することが好ましい。非鹸化性脂質がキャノーラ油に由来することが好ましい。
【００９７】
非鹸化性脂質は、脂肪酸若しくはその誘導体又はイソプレン誘導体又はトリテルペンである。非鹸化性脂質は、例えばキャノーラ油から、容易に製造可能な画分として得ることができ、意外にも、同様に皮膚の手入れ及び/又は皮膚の乾燥の防止に非常に良く適している。
【００９８】
したがってポリマー組成物が、キャノーラ油及び/又はキャノーラ油からの非鹸化性脂質を含有する、本発明による糸又は本発明によるテキスタイル面も好ましい。
【００９９】
ポリマー組成物が、ペトロラタム、シアバター、及びオレイン酸を少なくとも25重量%含有する油を含有する、本発明による糸又は本発明によるテキスタイル面も好ましい。
【０１００】
ポリマー組成物が、ペトロラタム、シアバター、並びにキャノーラ油及び/又はキャノーラ油からの非鹸化性脂質を含有する、本発明による糸又は本発明によるテキスタイル面も好ましい。
【０１０１】
ポリマー組成物が、ペトロラタムと、シアバターと、キャノーラ油、マルーラ油、及びオリーブ油から成る群から選択される油とを含有する、本発明による糸又は本発明によるテキスタイル面も好ましい。
【０１０２】
ポリマー組成物が、シアバター及びオレイン酸を少なくとも25重量%含有する油を含有する、本発明による糸又は本発明によるテキスタイル面も好ましい。
【０１０３】
ポリマー組成物が、シアバターと、キャノーラ油、マルーラ油、及びオリーブ油から成る群から選択される油とを含有する、本発明による糸又は本発明によるテキスタイル面も好ましい。
【０１０４】
したがってポリマー組成物が、オレイン酸を少なくとも25重量%含有する油と、炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１０５】
したがってポリマー組成物が、オレイン酸を少なくとも25重量%含有する油と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１０６】
したがってポリマー組成物が、マルーラ油、オリーブ油、及び/又はナタネ油と、炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１０７】
したがってポリマー組成物が、マルーラ油と、炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１０８】
したがってポリマー組成物が、マルーラ油、オリーブ油、及び/又はナタネ油と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１０９】
したがってポリマー組成物が、マルーラ油と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１１０】
したがってポリマー組成物が、a)ペトロラタム及びb)オレイン酸を少なくとも25重量%含有する油を含有する、本発明による糸又は本発明によるテキスタイル面も好ましい。
【０１１１】
したがってポリマー組成物が、a)ペトロラタム並びにb)マルーラ油、オリーブ油、及び/又はナタネ油、とりわけキャノーラ油を含有する、本発明による糸又は本発明によるテキスタイル面も好ましい。
【０１１２】
したがってポリマー組成物が、ペトロラタム及びマルーラ油を含有する、本発明による糸又は本発明によるテキスタイル面も好ましい。
【０１１３】
したがってポリマー組成物が、a)ペトロラタムと、b)オレイン酸を少なくとも25重量%含有する油と、c)炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１１４】
したがってポリマー組成物が、a)ペトロラタムと、b)マルーラ油、オリーブ油、及び/又はナタネ油と、c)炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１１５】
したがってポリマー組成物が、ペトロラタムと、マルーラ油と、炭酸ジカプリリル、イソノナン酸セチル、イソステアリン酸イソプロピル、イソステアリン酸イソステアリル、及びその混合物から成る群から選択されるさらなる作用物質とを含有する、本発明による糸又は本発明によるテキスタイル面も好ましい。
【０１１６】
したがってポリマー組成物が、a)ペトロラタムと、b)オレイン酸を少なくとも25重量%含有する油と、c)炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１１７】
したがってポリマー組成物が、a)ペトロラタムと、b)シアバターと、c)炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１１８】
したがってポリマー組成物が、a)ペトロラタムと、b)マルーラ油、オリーブ油、及び/又はナタネ油と、c)炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１１９】
したがってポリマー組成物が、ペトロラタムと、マルーラ油と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、本発明による糸又は本発明によるテキスタイル面も好ましい。
【０１２０】
挙げた油及び脂肪も、繊維、とりわけバイオポリマーから成る繊維、とりわけセルロース繊維に添加するための、好ましい親油性混合物中のペトロラタムのための適切なパートナーである。これをテキスタイル製品及び医療用テキスタイル製品に加工することは、その角質層への放出により、身に着けている人の皮膚水分の維持(「Skin Hydration」)及び皮膚のざらざらの減少をもたらし、且つ28日以上の期間にわたって連続的に作用する。そのような期間にわたる有効性は、とりわけ医療用補助具、例えば包帯並びに圧迫ストッキング及びサポートストッキングの場合に、これらはしばしば永続的に、つまり比較的長期間にわたって身に着けるので有利である。
【０１２１】
つまり本発明によれば、ポリマー組成物が、ポリマーと共に、追加的に少なくとも1種の作用物質を含有しており、この作用物質は、ペトロラタム及び/又はオレイン酸を少なくとも25重量%含有する油であることができる。つまり、もちろんこれらの作用物質及びこれらの作用物質の混合物の存在も本発明の対象である。
【０１２２】
意外にも、このような作用物質は、ポリマー組成物に導入することができ、且つポリマー組成物が相応の製品、例えば衣類及び医療用補助具の形態で皮膚に密着する場合に、ポリマー組成物中で添加剤として、とりわけ密着する皮膚に直接的に、その作用を発揮できることが分かった。これに関してはとりわけ、これらの作用物質が皮膚の乾燥を防止できることが有利である。これらの作用物質を、さらなる作用物質を皮膚に滲入させるために使用してもよい。
【０１２３】
とりわけバイオポリマー、例えばセルロースから成るポリマー組成物は、ペトロラタム及び/又はここで挙げた油若しくは脂肪又はここで挙げた非鹸化性脂質を特に良く担持できることが分かっており、これはセルロースに対して、ペトロラタムの重量分率がとりわけ最大で25%又はそれ以上及び油の重量分率がとりわけ最大で35%又はそれ以上のときである。非常に良い結果が達成されたのは、例えばセルロースに対して、ペトロラタムの重量分率がとりわけ最大で23%及び油の重量分率がとりわけ最大で11%のときである。
【０１２４】
ポリマー組成物が、ペトロラタムを(ポリマー組成物の総重量に対する)量分率で少なくとも1重量%含有することが好ましい。
【０１２５】
ポリマー組成物が、ペトロラタムを(ポリマー組成物の総重量に対する)量分率で少なくとも5重量%含有することが好ましい。
【０１２６】
ポリマー組成物が、ペトロラタムを(ポリマー組成物の総重量に対する)量分率で少なくとも10重量%含有することが好ましい。
【０１２７】
ポリマー組成物が、ペトロラタムを(ポリマー組成物の総重量に対する)量分率で少なくとも1重量%〜最大で40重量%、とりわけ最大で35重量%含有することが好ましい。ポリマー組成物が、ペトロラタムを(ポリマー組成物の総重量に対する)量分率で最大で40重量%、とりわけ最大で35重量%含有することが好ましい。
【０１２８】
ポリマー組成物が、ペトロラタムを(ポリマー組成物の総重量に対する)量分率で少なくとも1重量%〜最大で30重量%、とりわけ最大で25重量%含有することが好ましい。ポリマー組成物が、ペトロラタムを(ポリマー組成物の総重量に対する)量分率で最大で30重量%、とりわけ最大で25重量%含有することが好ましい。
【０１２９】
ポリマー組成物が、ペトロラタムを(ポリマー組成物の総重量に対する)量分率で少なくとも1重量%〜最大で23重量%含有することが好ましい。ポリマー組成物が、ペトロラタムを(ポリマー組成物の総重量に対する)量分率で最大で23重量%含有することが好ましい。
【０１３０】
ポリマー組成物が、油を(ポリマー組成物の総重量に対する)量分率で少なくとも1重量%含有することが好ましい。
【０１３１】
ポリマー組成物が、油を(ポリマー組成物の総重量に対する)量分率で少なくとも5重量%含有することが好ましい。
【０１３２】
ポリマー組成物が、油を(ポリマー組成物の総重量に対する)量分率で少なくとも1重量%〜最大で45重量%、とりわけ最大で40重量%含有することが好ましい。ポリマー組成物が、油を(ポリマー組成物の総重量に対する)量分率で最大で45重量%、とりわけ最大で40重量%含有することが好ましい。
【０１３３】
ポリマー組成物が、油を(ポリマー組成物の総重量に対する)量分率で少なくとも1重量%〜最大で35重量%、とりわけ最大で20重量%含有することが好ましい。ポリマー組成物が、油を(ポリマー組成物の総重量に対する)量分率で最大で35重量%、とりわけ最大で20重量%含有することが好ましい。
【０１３４】
ポリマー組成物が、油を(ポリマー組成物の総重量に対する)量分率で少なくとも1重量%〜最大で15重量%、とりわけ最大で12重量%含有することが好ましい。ポリマー組成物が、油を(ポリマー組成物の総重量に対する)量分率で最大で15重量%、とりわけ最大で12重量%含有することが好ましい。
【０１３５】
ポリマー組成物が、油を(ポリマー組成物の総重量に対する)量分率で少なくとも1重量%〜最大で11重量%含有することが好ましい。ポリマー組成物が、油を(ポリマー組成物の総重量に対する)量分率で最大で11重量%含有することが好ましい。
【０１３６】
理論に結びついてはいないが、とりわけ、好ましいバイオポリマー、例えばセルロースは、作用物質のための担持ゾーンとして役立つ空洞を形成することができる。これに関し有利なのは、バイオポリマー及びそれから製造される繊維のための特別な製造方法が必要ないことである。
【０１３７】
これに関し意外にも、ポリマー組成物中に添加剤として含有された本発明による作用物質の群が、適用期間にわたって優れた不変性を有しており、したがってこの期間にわたってその作用を発揮できることも確認できた。
【０１３８】
それだけでなく意外にも本発明によるポリマー組成物は、とりわけバイオポリマーを含有する場合、とりわけセルロースを含有する又はセルロースをベースとする場合に、本発明による添加剤の少なくとも1種の添加にもかかわらず、例えば繊維の繊度、引裂力、引裂力変動率、伸度、湿伸度、繊度に対する引裂力、繊度に対する湿潤引裂力、繊度に対する引掛け引裂力、湿潤摩耗変動率、及び湿潤モジュラスに関し、純粋な繊維、とりわけセルロース繊維と同様の秀でた特性を示す繊維を生じさせることが分かった。それにもかかわらず、これらの繊維は同時に少なくとも1種の添加剤によって付与された有利な特性を示した。
【０１３９】
繊維が紡糸液から製造されることが好ましい。少なくとも1種の本発明による添加剤の添加にもかかわらず、意外にも、とりわけ紡糸液がセルロースを含有する場合、並びにことに紡糸液が、主成分として、セルロース、N-メチルモルホリン-N-オキシド(NMMNO)、及び水から形成される場合には、紡糸液の分解がないことが分かった。
【０１４０】
とりわけ、セルロース又は修飾セルロースを含有するポリマー組成物に関する、及びとりわけ成形体の形態での、適切な製造方法がDE 10 2007 054 702 A1から知られている。
【０１４１】
ポリマー組成物は、典型的には繊維、フィラメント、糸、不織布、衣類、並びに医療用補助具、例えば包帯及び圧迫ストッキングの製造に使用されるようなポリマーを含有することができる。
【０１４２】
ポリマーは、バイオポリマーであることが好ましく、工業技術的バイオポリマーであることが特に好ましい。
【０１４３】
好ましい一実施形態では、ポリマーは、セルロース、修飾セルロース、ポリアミド、ポリアクリル、ポリエステル、ポリウレタン、ポリエチレン、ポリプロピレン、その修飾体、及びその混合物から成る群から選択される。好ましい一実施形態では、ポリマーは、セルロース、修飾セルロース、ポリアミド、ポリアクリル、ポリエステル、その修飾体、及びその混合物から成る群から選択される。
【０１４４】
好ましい一実施形態では、ポリマーは、セルロース、修飾セルロース、ビスコース、ポリラクチド、その修飾体、その誘導体、及びその混合物から成る群から選択される。
【０１４５】
好ましい一実施形態では、ポリマーは、セルロース、修飾セルロース、ビスコース、又はポリラクチドである。好ましい一実施形態では、ポリマーは、セルロース又はポリラクチドである。
【０１４６】
代替的な一実施形態では、ポリマーはデンプンポリマーである。
【０１４７】
好ましい一実施形態では、ポリマーは生分解性である。生分解性ポリマーは、セルロース、修飾セルロース、ラテックス、植物由来及び動物由来のタンパク質、並びにその混合物から成る群から選択されることが好ましい。重縮合系及び重合系ポリマー、ポリウレタン、ポリエステル、ポリアクリル、並びにこれら材料の混合物も使用することができる。
【０１４８】
ただし代替的な一実施形態では、本発明によるポリマー組成物は、非生分解性ポリマーも含有することを考慮してもよい。このようなポリマーの例は、ポリアミド、芳香族ポリアミド、とりわけアラミド、ポリアクリロニトリル、ポリエステル、又はポリビニルアルコールである。
【０１４９】
好ましい一実施形態では、ポリマーは、セルロース、修飾セルロース、又はその修飾体、及びその混合物である。好ましい一実施形態では、ポリマーは、セルロース又は修飾セルロースである。
【０１５０】
セルロースは、親水性ネットワークを形成しているポリマーであり、その超分子構造は、溶液中でも固体中でも、同様に親水性の水素結合によって安定化されている。これに対し、内側閉塞を生成する作用物質、外側閉塞を生成する作用物質、及び水分供与性作用物質から成る群から選択される本発明で使用される作用物質は、むしろ非極性で親油性の有機化合物である。いまでは本発明の枠内で意外にも、そのような非極性で親油性の作用物質を、セルロースのフィラメント及び繊維に導入できることが分かった。同様に意外なのは、親水性のセルロースネットワークに組み込まれた親油性の有機作用物質を、それも、精密配量可能で均一な貯蔵及びこの非極性で親油性の有機作用物質の繊維からの制御された解放が可能なように、均質且つ微小粒子状に分布させ得ることである。
【０１５１】
本発明によるポリマー組成物が紡糸液から製造されることが好ましい。作用物質は、ポリマー組成物中に微小封入体として存在することが好ましい。
【０１５２】
修飾セルロースとは、とりわけカルボキシエチルセルロース、メチルセルロース、硝酸塩セルロース、銅セルロース、ビスコース、つまりキサントゲン酸セルロース、カルバミン酸セルロース、及び酢酸セルロースのことである。
【０１５３】
代替的な一実施形態では、ポリマーは、ポリアミド、ポリアクリル、ポリエステル、又はその修飾体若しくはその誘導体、及びその混合物である。好ましい一実施形態では、ポリマーは、ポリアミド又はその修飾体である。好ましい一実施形態では、ポリマーは、ポリアクリル又はその修飾体である。好ましい一実施形態では、ポリマーは、ポリエステル又はその修飾体である。
【０１５４】
好ましい一実施形態では、ポリマーは、ポリアミド又はその誘導体である。好ましい一実施形態では、ポリマーは、ポリアクリル又はその誘導体である。好ましい一実施形態では、ポリマーは、ポリエステル又はその誘導体である。
【０１５５】
重縮合系及び重合系ポリマーの例は、例えばメチル基、ヒドロキシ基、又はベンジル基で置換されたポリアミドである。ポリウレタンの例は、ポリエーテルポリオールをベースとして構成されたポリウレタンである。
【０１５６】
代替的な一実施形態では、ポリマーは、ポリラクチド又はその修飾体又はその誘導体である。代替的な一実施形態では、ポリマーはポリラクチドである。
【０１５７】
少なくとも1種の作用物質がポリマー組成物に組み込まれており、且つとりわけ染み込ませるか又はコーティングすることでは担体マトリクスに施されていないことが好ましい。
【０１５８】
前述の説明から明らかなように、本発明による糸又は本発明によるテキスタイル面の繊維は、ポリマーの挙げた好ましい実施形態と、挙げた作用物質の、とりわけペトロラタム、脂肪、油、非鹸化性脂質の、しかしさらにその他の作用物質の挙げた好ましい実施形態とのあらゆる組合せを有することができる。
【０１５９】
本発明は、本発明によるポリマー組成物を含んでいる1つ以上の成形体にも関する。
【０１６０】
本発明による添加剤を含有する本発明による成形体の利点は、繊維断面を様々に製造可能な場合の、成形体への、とりわけ繊維マトリクスへの作用物質の均一な組込みである。これに関しては、モノフィラメント糸又は連続フィラメント糸としての加工も可能であり、これにより技術的商品での使用が可能になる。
【０１６１】
本発明による成形体は、非常に様々な目的に使用することができる。
【０１６２】
成形体は繊維であることが好ましい。繊維は、ステープルファイバー、モノフィラメント、マルチフィラメントのフィラメント、又はマルチフィラメントの連続フィラメントであることが好ましい。
【０１６３】
つまり繊維が、ステープルファイバー、モノフィラメント、マルチフィラメントのフィラメント、又はマルチフィラメントの連続フィラメントである、本発明による糸又は本発明によるテキスタイル面が好ましい。
【０１６４】
とりわけ繊維がセルロース繊維である場合、繊維は、例えばDE 10 2007 054 702 A1の図1及び図2に示されているように構成されることができる。少なくとも1種の作用物質は、マトリクス、とりわけセルロースマトリクス中に分散した封入体の形態で存在することができる。
【０１６５】
少なくとも1種の作用物質が、少なくとも1種の疎水性増粘剤によって安定化されていることが好ましい。
【０１６６】
とりわけ繊維から本発明によるテキスタイル面を製造する場合、これは、本発明による繊維から成り得るだけでなく、追加的な成分、例えば綿、リヨセル、レーヨン、カーバセル(Carbacell)、ポリエステル、ポリアミド、酢酸セルロース、アクリレート、ポリプロピレン、又はその混合物も含有することができる。
【０１６７】
本発明は、糸を製造するための本発明による成形体の使用にも関する。
【０１６８】
本発明は、本発明による成形体を含有する糸にも関する。本発明は、本発明による成形体を基本成分として含有する糸にも関する。本発明は、本発明による成形体から成る糸にも関する。
【０１６９】
本発明は、本発明による成形体を含有する不織布にも関する。本発明は、本発明による糸を含有する不織布にも関する。
【０１７０】
つまり繊維が糸の形態で存在するか又はテキスタイル面が不織布若しくはフェルトである、本発明による糸又は本発明によるテキスタイル面が好ましい。
【０１７１】
繊維が糸の形態で存在する、本発明によるテキスタイル面が好ましい。
【０１７２】
テキスタイル面が、不織布又はフェルトであることが好ましい。テキスタイル面が不織布であることが好ましい。テキスタイル面がフェルトであることが好ましい。
【０１７３】
つまりテキスタイル面が、緯編ニット、経編ニット、又は織物である、本発明による糸又は本発明によるテキスタイル面が好ましい。
【０１７４】
テキスタイル面が、緯編ニット、経編ニット、又は織物であることが好ましい。テキスタイル面が緯編ニットであることが好ましい。テキスタイル面が経編ニットであることが好ましい。テキスタイル面が織物であることが好ましい。テキスタイル面が、緯編ニット又は経編ニットであることが好ましい。テキスタイル面が編み物であることが好ましい。
【０１７５】
本発明は、本発明による糸若しくは本発明によるテキスタイル面を含有するか、又はポリマーと、ペトロラタム、オレイン酸を少なくとも25重量%含有する油、及びその混合物から成る群から選択される少なくとも1種の作用物質とを含有するポリマー組成物を含んでいる繊維を含有する、衣類、運動補助具、又は医療用補助具にも関する。
【０１７６】
本発明は、ポリマー、ペトロラタム、及びシアバターを含有するポリマー組成物を含んでいる繊維を含有する衣類、運動補助具、又は医療用補助具にも関する。
【０１７７】
本発明は、本発明による糸若しくは本発明によるテキスタイル面を含有するか、又はポリマーと、ペトロラタム、オレイン酸を少なくとも25重量%含有する油、オレイン酸を少なくとも25重量%含有する油からの非鹸化性脂質、シアバター、及びその混合物から成る群から選択される少なくとも1種の作用物質とを含有するポリマー組成物を含んでいる繊維を含有する、衣類、運動補助具、又は医療用補助具にも関する。
【０１７８】
本発明は、本発明による糸又は本発明によるテキスタイル面を含有する衣類、運動補助具、又は医療用補助具にも関する。
【０１７９】
衣類又は運動補助具が、トリコット、スポーツパンツ、パンツ、アンダーシャツ、又はストッキングであることが好ましい。その代わりに衣類が手袋であってもよい。
【０１８０】
医療用補助具が、包帯又は圧迫ストッキングであることが好ましい。医療用補助具が包帯であることが好ましい。医療用補助具が圧迫ストッキングであることが好ましい。
【０１８１】
本発明は、本発明による成形体又は本発明による糸を含有する衣類又は医療用補助具にも関する。身に着ける際に少なくとも部分的に皮膚に直接密着する衣類又は医療用補助具が好ましい。
【０１８２】
本発明は、本発明による成形体又は本発明による糸を含有する衣類にも関する。衣類が、下着、とりわけパンツ、アンダーシャツ、又はストッキングであることが好ましい。その代わりに衣類が手袋であってもよい。
【０１８３】
本発明は、本発明による成形体又は本発明による糸を含有する医療用補助具にも関する。医療用補助具が、圧迫ストッキング又は包帯であることが好ましい。
【０１８４】
本発明は、本発明による成形体又は本発明による糸を含有するサポーター及びその他の運動補助具にも関する。本発明は、本発明によるテキスタイル面を含有するサポーター及びその他の運動補助具にも関する。
【０１８５】
本発明は、衣類、運動補助具、又は皮膚の手入れのための医療用補助具における本発明によるポリマー組成物又は本発明による成形体の使用にも関する。
【０１８６】
本発明は、衣類、運動補助具、又は皮膚の乾燥の防止のための医療用補助具における本発明によるポリマー組成物又は本発明による成形体の使用にも関する。
【０１８７】
本発明は、糸又はテキスタイル面、とりわけフェルト若しくはフリースを製造するための、ポリマーと、ペトロラタム、オレイン酸を少なくとも25重量%含有する油、オレイン酸を少なくとも25重量%含有する油からの非鹸化性脂質、シアバター、及びその混合物から成る群から選択される少なくとも1種の作用物質とを含有するポリマー組成物を含んでいる繊維の使用にも関する。
【０１８８】
本発明は、衣類、運動補助具、又は皮膚の手入れ及び/若しくは皮膚の乾燥の防止のための医療用補助具における本発明による糸又は本発明によるテキスタイル面の使用にも関する。
【０１８９】
本発明は、とりわけ以下の態様にも関する。
【０１９０】
態様1:ポリマーと、ペトロラタム、オレイン酸を少なくとも25重量%含有する油、オレイン酸を少なくとも25重量%含有する油からの非鹸化性脂質、シアバター、及びその混合物から成る群から選択される少なくとも1種の作用物質とを含有するポリマー組成物。
【０１９１】
態様2:ポリマー、ペトロラタム、及びシアバターを含有するポリマー組成物。
【０１９２】
態様3:ポリマーと、ペトロラタム、オレイン酸を少なくとも25重量%含有する油、及びその混合物から成る群から選択される少なくとも1種の作用物質とを含有するポリマー組成物。
【０１９３】
態様4:ポリマーが、セルロース、修飾セルロース、ポリアミド、ポリアクリル、ポリエステル、ポリウレタン、ポリエチレン、ポリプロピレン、その修飾体、その誘導体、及びその混合物から成る群から選択される、態様1に記載のポリマー組成物。
【０１９４】
態様5:少なくとも1種の作用物質が、皮膚への浸透増強に役立つ、前記態様のいずれか1つに記載のポリマー組成物。
【０１９５】
態様6:少なくとも1種の作用物質が、閉塞を生成する作用物質である、前記態様のいずれか1つに記載のポリマー組成物。
【０１９６】
態様7:少なくとも1種の作用物質がペトロラタムである、前記態様のいずれか1つに記載のポリマー組成物。
【０１９７】
態様8:少なくとも1種の作用物質が、20〜45個の炭素原子を有する直鎖状飽和炭化水素を最大で20重量%含有するペトロラタムである、前記態様のいずれか1つに記載のポリマー組成物。
【０１９８】
態様9:油が、オレイン酸を少なくとも35重量%、パルミチン酸を少なくとも20重量%、パルミトレイン酸を少なくとも3重量%、リノール酸を少なくとも5重量%、ステアリン酸を少なくとも5重量%、及びcis-9-オクタデセン酸を少なくとも0.5重量%含有する、前記態様のいずれか1つに記載のポリマー組成物。
【０１９９】
態様10:油がマルーラ油である、前記態様のいずれか1つに記載のポリマー組成物。
【０２００】
態様11:油がキャノーラ油である、前記態様のいずれか1つに記載のポリマー組成物。
【０２０１】
態様12:ペトロラタム及びマルーラ油を含有する、前記態様のいずれか1つに記載のポリマー組成物。
【０２０２】
態様13:ペトロラタム及びキャノーラ油を含有する、前記態様のいずれか1つに記載のポリマー組成物。
【０２０３】
態様14:前記態様のいずれか1つに記載のポリマー組成物を含んでいる成形体。
【０２０４】
態様15:成形体が繊維である、態様14に記載の成形体。
【０２０５】
態様16:繊維が、ステープルファイバー、モノフィラメント、マルチフィラメントのフィラメント、又はマルチフィラメントの連続フィラメントである、態様15に記載の成形体。
【０２０６】
態様17:糸又はテキスタイル面、とりわけフェルト若しくはフリースを製造するための、態様14から16のいずれか1つに記載の成形体の使用。
【０２０７】
態様18:態様14から16のいずれか1つに記載の成形体を含有する糸。
【０２０８】
態様19:態様14から16のいずれか1つに記載の成形体又は態様18に記載の糸を含有する不織布。
【０２０９】
態様20:態様14から16のいずれか1つに記載の成形体又は態様18に記載の糸を含有する衣類又は医療用補助具。
【０２１０】
態様21:衣類、運動補助具、又は皮膚の手入れのための医療用補助具における態様1から13のいずれか1つに記載のポリマー組成物又は態様14から16のいずれか1つに記載の成形体又は態様18に記載の糸又は態様19に記載の不織布の使用。
本発明は、さらに以下の態様にも関する。
項１
ポリマーと、ペトロラタム、オレイン酸を少なくとも25重量%含有する油又は脂肪、オレイン酸を少なくとも25重量%含有する油からの非鹸化性脂質、及びその混合物から成る群から選択される少なくとも1種の作用物質とを含有するポリマー組成物を含んでいる繊維を含有する糸又はテキスタイル面。
項２
ポリマーと、ペトロラタム、オレイン酸を少なくとも25重量%含有する油、オレイン酸を少なくとも25重量%含有する油からの非鹸化性脂質、及びその混合物から成る群から選択される少なくとも1種の作用物質とを含有するポリマー組成物を含んでいる繊維を含有する、項1に記載の糸又はテキスタイル面。
項３
ポリマーがバイオポリマーである、項1又は2に記載の糸又はテキスタイル面。
項４
ポリマーが、セルロース、修飾セルロース、ビスコース、ポリラクチド、その修飾体、その誘導体、及びその混合物から成る群から選択される、項1〜3のいずれか一項に記載の糸又はテキスタイル面。
項５
少なくとも1種の作用物質がペトロラタムである、項1〜4のいずれか一項に記載の糸又はテキスタイル面。
項６
ポリマー組成物が、ペトロラタム、及びオレイン酸を少なくとも25重量%含有する油を含有する、項1〜5のいずれか一項に記載の糸又はテキスタイル面。
項７
油が、オレイン酸を少なくとも35重量%、パルミチン酸を少なくとも20重量%、パルミトレイン酸を少なくとも3重量%、リノール酸を少なくとも5重量%、ステアリン酸を少なくとも5重量%、及びcis-9-オクタデセン酸を少なくとも0.5重量%含有する、項1〜6のいずれか一項に記載の糸又はテキスタイル面。
項８
油が、マルーラ油、オリーブ油、及び/又はナタネ油である、項1〜7のいずれか一項に記載の糸又はテキスタイル面。
項９
油がキャノーラ油である、項1〜8のいずれか一項に記載の糸又はテキスタイル面。
項１０
ポリマー組成物が非鹸化性脂質を含有する、項1〜9のいずれか一項に記載の糸又はテキスタイル面。
項１１
ポリマー組成物がシアバターを含有する、項1〜10のいずれか一項に記載の糸又はテキスタイル面。
項１２
ポリマー組成物が、ペトロラタム、及びオレイン酸を少なくとも25重量%含有する脂肪を含有する、項1〜11のいずれか一項に記載の糸又はテキスタイル面。
項１３
ポリマー組成物が、ペトロラタム及びシアバターを含有する、項1〜12のいずれか一項に記載の糸又はテキスタイル面。
項１４
ポリマー組成物が、ペトロラタムと、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、項1〜13のいずれか一項に記載の糸又はテキスタイル面。
項１５
ポリマー組成物が、オレイン酸を少なくとも25重量%含有する油と、炭酸ジカプリリル、イソノナン酸セチル、イソノナン酸セテアリル、イソステアリン酸イソプロピル、イソステアリン酸イソステアリル、パルミチン酸イソプロピル、及びその混合物から成る群から選択されるさらなる作用物質とを含有する、項1〜14のいずれか一項に記載の糸又はテキスタイル面。
項１６
少なくとも1種の作用物質が皮膚への浸透増強に役立つ、項1〜15のいずれか一項に記載の糸又はテキスタイル面。
項１７
少なくとも1種の作用物質が閉塞を生成する作用物質である、項1〜16のいずれか一項に記載の糸又はテキスタイル面。
項１８
繊維が、ステープルファイバー、モノフィラメント、マルチフィラメントのフィラメント、又はマルチフィラメントの連続フィラメントである、項1〜17のいずれか一項に記載の糸又はテキスタイル面。
項１９
繊維が糸の形態で存在するか又はテキスタイル面が不織布若しくはフェルトである、項1〜18のいずれか一項に記載のテキスタイル面。
項２０
テキスタイル面が、緯編ニット、経編ニット、又は織物である、項1〜19のいずれか一項に記載のテキスタイル面。
項２１
項1〜20のいずれか一項に記載の糸又はテキスタイル面を含有するか、又はポリマーと、ペトロラタム、オレイン酸を少なくとも25重量%含有する油若しくは脂肪、オレイン酸を少なくとも25重量%含有する油からの非鹸化性脂質、及びその混合物から成る群から選択される少なくとも1種の作用物質とを含有するポリマー組成物を含んでいる繊維を含有する、衣類、運動補助具、又は医療用補助具。
項２２
トリコット、スポーツパンツ、パンツ、アンダーシャツ、又はストッキングである、項21に記載の衣類又は運動補助具。
項２３
包帯又は圧迫ストッキングである、項21に記載の医療用補助具。
項２４
糸又はテキスタイル面、とりわけフェルト若しくはフリースを製造するための、ポリマーと、ペトロラタム、オレイン酸を少なくとも25重量%含有する油又は脂肪、オレイン酸を少なくとも25重量%含有する油からの非鹸化性脂質、及びその混合物から成る群から選択される少なくとも1種の作用物質とを含有するポリマー組成物を含んでいる繊維の使用。
項２５
衣類、運動補助具、又は皮膚の手入れ及び/若しくは皮膚の乾燥の防止のための医療用補助具における項1〜20のいずれか一項に記載の糸又はテキスタイル面の使用。